(57)【要約】【課題】回路パターンが異なる複数種の製品に布線シートを共通使用することができ、前記製品の小型化・軽量化を図ることができ、かつ、電線配索作業がし易い電線配索方法を提供する。【解決手段】本発明の電線配索方法は、布線シート３を共通使用すると共に複数種の配索治具を用いて互いに回路パターンが異なる複数種の配線モジュールを組み立てる方法である。布線シート３には、複数のピン通し孔４１が形成されている。複数種の配索治具は、複数のピン通し孔４１のうちの一部のみに通される複数のピンを備えると共に互いにピンの配置が異なっている。図示する配線モジュール１Ａを組み立てる際は、複数種の配索治具から配線モジュール１Ａに対応した配索治具を選択し、該配索治具の各ピンを布線シート３の各ピン通し孔４１に通す。そして、ピンをガイドにして布線シート３に電線２を配索し、電線２の配索完了後にピンをピン通し孔４１から抜く。【選択図】図５
2014054009.tif 000002
【特許請求の範囲】
【請求項１】
電線を所定経路に配索するためのピンが通されるピン通し孔が複数形成された布線シートに電線を配索する電線配索方法であって、
前記複数のピン通し孔のうちの一部のみに通される複数のピンを備えると共に前記ピンの配置が異なる複数種の配索治具を用意し、
前記複数種の配索治具から１つを選択し、該選択した配索治具のピンを前記布線シートのピン通し孔に通し、
前記ピンをガイドにして前記布線シートに前記電線を配索し、
前記電線の配索完了後に前記ピンを前記ピン通し孔から抜く
ことを特徴とする電線配索方法。
【請求項２】
請求項１に記載された電線配索方法によって布線シートに電線が配索されて成る配線モジュール。
【請求項３】
請求項２に記載された配線モジュールを有する電気接続箱。
【発明の詳細な説明】
【技術分野】
【０００１】
本発明は、布線シートに電線を配索する電線配索方法、該電線配索方法によって組み立てられた配線モジュール、該配線モジュールを有する電気接続箱に関するものである。
【背景技術】
【０００２】
自動車用電気接続箱は、様々な構造のものがあるが、例えば、合成樹脂製の布線シートに複数の電線が配索されて成る配線モジュールを有する構造のものがある（特許文献１を参照。）。また、図７は、従来の布線シートを用いた電線配索方法を説明する説明図である。
【０００３】
図７に示すように、布線シート３０３は、表面に複数の電線３０２を位置付ける板部３４０と、板部３４０から立設した複数のボス３４１と、布線シート３０３の端部に設けられた複数の電線固定部と、を一体に有している。また、図７においては、電線固定部の図示を省略している。
【０００４】
このような布線シート３０３に電線３０２を配索する際は、所定の電線固定部に電線３０２の一端を固定し、該電線３０２を板部３４０上の所定経路に配索し、該電線３０２の他端を所定の電線固定部に固定する。また、電線３０２を板部３４０上の所定経路に配索する際は、電線３０２を所定のボス３４１に引っ掛けることで該電線３０２の配索方向を変更する。このような作業を繰り返すことにより、配線モジュールが組み立てられる。
【先行技術文献】
【特許文献】
【０００５】
【特許文献１】特開２００５−５１８７７号公報
【発明の概要】
【発明が解決しようとする課題】
【０００６】
しかしながら、上述した従来の布線シート３０３には、他の車種等と共通化するために、全ての車種等に必要なボス３４１が設けられていたことから、ある車種用には使用しないボス３４１が電線配索時に邪魔になってしまうという問題があった。また、この布線シート３０３には、全ての車種等に必要なボス３４１が設けられていたことから、樹脂使用量が増加し、製品の小型化・軽量化を妨げているという問題があった。さらに、布線機を用いて布線シート３０３に電線３０２を配索する際、生産効率を向上させるために電線配索スピードを上げようとすると、ボス３４１に掛かる力が強くなり、ボス３４１の折れや変形が発生するという問題があった。
【０００７】
したがって、本発明は、回路パターンが異なる複数種の製品に布線シートを共通使用することができ、前記製品の小型化・軽量化を図ることができ、かつ、電線配索作業がし易い電線配索方法、該電線配索方法によって組み立てられた配線モジュール、該配線モジュールを有する電気接続箱を提供することを目的とする。
【課題を解決するための手段】
【０００８】
上記目的を達成するために請求項１に記載された発明は、電線を所定経路に配索するためのピンが通されるピン通し孔が複数形成された布線シートに電線を配索する電線配索方法であって、前記複数のピン通し孔のうちの一部のみに通される複数のピンを備えると共に前記ピンの配置が異なる複数種の配索治具を用意し、前記複数種の配索治具から１つを選択し、該選択した配索治具のピンを前記布線シートのピン通し孔に通し、前記ピンをガイドにして前記布線シートに前記電線を配索し、前記電線の配索完了後に前記ピンを前記ピン通し孔から抜くことを特徴とする電線配索方法である。
【０００９】
請求項２に記載された発明は、請求項１に記載された電線配索方法によって布線シートに電線が配索されて成る配線モジュールである。
【００１０】
請求項３に記載された発明は、請求項２に記載された配線モジュールを有する電気接続箱である。
【発明の効果】
【００１１】
請求項１に記載された発明によれば、前記複数のピン通し孔のうちの一部のみに通される複数のピンを備えると共に前記ピンの配置が異なる複数種の配索治具を用意し、前記複数種の配索治具から１つを選択し、該選択した配索治具のピンを前記布線シートのピン通し孔に通し、前記ピンをガイドにして前記布線シートに前記電線を配索し、前記電線の配索完了後に前記ピンを前記ピン通し孔から抜くので、回路パターンが異なる複数種の製品に布線シートを共通使用することができる。また、布線シートにピンが設けられていないので、電線の配索自由度を向上させることができると共に製品の小型化・軽量化を図ることができる。また、使用するピンのみが設けられた配索治具を使用することで、電線配索作業を容易に行うことができる。また、ピンを金属製にすることで、電線の配索スピードを上げても、ピンの折れや変形が発生することがない。
【００１２】
請求項２に記載された発明によれば、請求項１に記載された電線配索方法によって布線シートに電線が配索されて成るので、回路パターンが異なる複数種の配線モジュールに布線シートを共通使用することができ、前記配線モジュールの小型化・軽量化を図ることができる。
【００１３】
請求項３に記載された発明によれば、請求項２に記載された配線モジュールを有するので、電気接続箱の小型化・軽量化を図ることができる。
【図面の簡単な説明】
【００１４】
【図１】本発明の一実施形態にかかる電線配索方法に用いられる布線シートの斜視図である。
【図２】図１に示された布線シートの平面図である。
【図３】図２に示された布線シートに電線が配索されて成る配線モジュールの平面図である。
【図４】図２に示された布線シートに図３と異なる回路パターンで電線が配索されて成る配線モジュールの平面図である。
【図５】本発明の電線配索方法を説明する説明図である。
【図６】図３に示された配線モジュールを有する電気接続箱の分解図である。
【図７】従来の布線シートを用いた電線配索方法を説明する説明図である。
【発明を実施するための形態】
【００１５】
本発明の一実施形態にかかる「電線配索方法」、該電線配索方法によって組み立てられた「配線モジュール」、該配線モジュールを有する「電気接続箱」を図１〜６を参照して説明する。
【００１６】
本実施形態の「電線配索方法」は、図１，２に示す布線シート３に電線２を配索して、図３，４に示す二種類の配線モジュール１Ａ，１Ｂを組み立てる方法である。また、配線モジュール１Ａ，１Ｂは、同一の布線シート３に互いに異なる回路パターンで電線２が配索されて成る配線モジュールである。
【００１７】
上記布線シート３は、合成樹脂で構成されており、中央に設けられた電線配索部４と、該電線配索部４を囲む位置に並設された複数の電線収容溝５と、を一体に有している。電線配索部４は、表面に複数の電線２を位置付ける板部４０に、複数のピン通し孔４１が形成されている。このピン通し孔４１は、後述する配索治具６のピン６１が通される孔である。電線収容溝５は、各電線２を収容して該電線２を固定する溝である。電線収容溝５の底壁には、圧接刃７（図６に示す。）が通される貫通孔５１が形成されている。電線２は、芯線が絶縁被覆で覆われて成る被覆電線であり、貫通孔５１を通された圧接刃７のスロットに差し込まれることにより、該圧接刃７と接続される。
【００１８】
上記配索治具６は、図５に示すように、布線シート３を重ねることが可能な板状のベース部６０と、ベース部６０から立設した複数のピン６１と、を有している。複数のピン６１は、本実施形態では、金属で構成されている。また、複数のピン６１は、布線シート３の複数のピン通し孔４１のうちの一部のみに通される。また、図５に示す配索治具６は、同図に示す布線シート３（図５においてのみ、複数のピン通し孔４１の用途を説明するために、ピン通し孔に符号４１ａ，４１ｂを付す。）の複数のピン通し孔４１ａ，４１ｂのうちのピン通し孔４１ａのみに通される。
【００１９】
続いて、上記布線シート３及び上記配索治具６を用いて上記二種類の配線モジュール１Ａ，１Ｂを組み立てる方法を説明する。
【００２０】
まず、同一形状の布線シート３を２つ容易し、各配線モジュール１Ａ，１Ｂに対応した二種類の配索治具６を用意する。二種類の配索治具６は、それぞれ、布線シート３の複数のピン通し孔４１のうちの一部のみに通される複数のピン６１を備えると共に互いにピン６１の配置が異なっている。
【００２１】
次に、二種類の配索治具６から配線モジュール１Ａに対応した配索治具６を選択し、図５に示すように、配索治具６のベース部６０に布線シート３を重ねると共に各ピン６１を布線シート３の各ピン通し孔４１に通す。
【００２２】
そして、所定の電線収容溝５に電線２の一端を固定し、該電線２を板部４０上の所定経路に配索し、該電線２の他端を所定の電線収容溝５に固定する。また、電線２を板部４０上の所定経路に配索する際は、電線２を所定のピン６１に引っ掛けることで該電線２の配索方向を変更する。このような作業を繰り返して、全ての電線２を布線シート３に取り付ける。最後に、布線シート３を配索治具６から持ち上げてピン６１をピン通し孔４１から抜くことにより、配線モジュール１Ａの組み立てが完了する。
【００２３】
続いて、二種類の配索治具６から配線モジュール１Ｂに対応した配索治具６を選択し、上述した配線モジュール１Ａの組み立て方法と同様に配線モジュール１Ｂを組み立てる。このようにして二種類の配線モジュール１Ａ，１Ｂを組み立てる。
【００２４】
上述した布線シート３及び配索治具６を用いた電線配索方法、すなわち二種類の配線モジュール１Ａ，１Ｂの組み立て方法、によれば、回路パターンが異なる複数種の配線モジュール１Ａ，１Ｂに布線シート３を共通使用することができる。また、布線シート３にピン６１が設けられていないので、電線２の配索自由度を向上させることができると共に配線モジュール１Ａ，１Ｂの小型化・軽量化を図ることができる。また、使用するピン６１のみが設けられた配索治具６を使用することで、電線配索作業を容易に行うことができる。また、ピン６１は金属製であるので、電線２の配索スピードを上げても、ピン６１の折れや変形が発生することがない。
【００２５】
また、本実施形態では、布線シート３を二種類の配線モジュール１Ａ，１Ｂに共通使用する例を説明したが、布線シート３のピン通し孔４１の数を増やし、配索治具６を三種類以上用意することによって、この布線シート３を三種類以上の配線モジュールに共通使用することができる。
【００２６】
図６に示す電気接続箱１０は、合成樹脂製の本体ケース１１と、該本体ケース１１に組み付けられて本体ケース１１と共にケースを構成する合成樹脂製のカバー１２と、本体ケース１１とカバー１２の間に組み付けられるヒューズブロック１３、一対のコネクタ１４、複数のバスバ１５、複数の配線モジュール１Ａ，１Ｃ、を有している。また、複数の配線モジュール１Ａ，１Ｃのうちの１つは、上述した配線モジュール１Ａである。ヒューズブロック１３、一対のコネクタ１４、複数のバスバ１５、に設けられた圧接刃７は、配線モジュール１Ａ，１Ｃに形成された貫通孔５１を通されて所定の電線２に接続される。
【００２７】
また、上記電気接続箱１０は、自動車に搭載されて、前記自動車に搭載された電子機器に対して電力供給及び信号伝達を行うものである。また、本発明では、ジャンクションブロック（ジャンクションボックスとも言う。）、ヒューズブロック（ヒューズボックスとも言う。）、リレーブロック（リレーボックスとも言う。）を総称して、以下電気接続箱と呼ぶ。
【００２８】
上述した電気接続箱１０によれば、配線モジュール１Ａを有しているので、その小型化・軽量化を図ることができる。
【００２９】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３０】
１Ａ，１Ｂ  配線モジュール
２  電線
３  布線シート
６  配索治具
１０  電気接続箱
４１  ピン通し孔
６１  ピン
【図１】
2014054009.tif 000003
【図２】
2014054009.tif 000004
【図３】
2014054009.tif 000005
【図４】
2014054009.tif 000006
【図５】
2014054009.tif 000007
【図６】
2014054009.tif 000008
【図７】
2014054009.tif 000009